(57)【要約】【課題】屋根端部の雨仕舞の施工性を向上させることが可能な屋根構造を提供する。【解決手段】本発明に係る屋根構造は、屋根下地材と、前記屋根下地材に支持される金属屋根材と、前記金属屋根材と鉛直方向で部分的に重なるように配置され、前記屋根下地材に支持されている端部金物と、前記金属屋根材及び前記端部金物が鉛直方向に重なって構成される積重部で、前記金属屋根材と前記端部金物との間に位置する止水部材と、前記積重部の位置で、前記金属屋根材及び前記端部金物を貫いて前記屋根下地材に締結されており、前記金属屋根材と前記端部金物との間で前記止水部材を挟み込む締結部材と、を備える。【選択図】図２
2020133351.tif 000002
【特許請求の範囲】
【請求項１】
屋根下地材と、
前記屋根下地材に支持される金属屋根材と、
前記金属屋根材と鉛直方向で部分的に重なるように配置され、前記屋根下地材に支持されている端部金物と、
前記金属屋根材及び前記端部金物が鉛直方向に重なって構成される積重部で、前記金属屋根材と前記端部金物との間に位置する止水部材と、
前記積重部の位置で、前記金属屋根材及び前記端部金物を貫いて前記屋根下地材に締結されており、前記金属屋根材と前記端部金物との間で前記止水部材を挟み込む締結部材と、を備える屋根構造。
【請求項２】
前記締結部材は、前記積重部の位置で、前記止水部材を貫いて前記屋根下地材に締結されている、請求項１に記載の屋根構造。
【請求項３】
前記止水部材を第１止水部材とした場合に、
前記積重部の鉛直方向上方に配置される押さえ部材と、
前記積重部と前記押さえ部材との間に位置する第２止水部材と、を備え、
前記締結部材は、前記積重部の位置で、前記押さえ部材及び前記第２止水部材を貫いて前記屋根下地材に締結されており、前記積重部と前記押さえ部材との間で前記第２止水部材を挟み込んでいる、請求項１又は２に記載の屋根構造。
【請求項４】
前記押さえ部材の鉛直方向上方を覆うカバー部材を備える、請求項３に記載の屋根構造。
【請求項５】
前記屋根下地材と前記金属屋根材との間、及び、前記屋根下地材と前記端部金物との間、に介在する防水シート部材を備える、請求項１乃至４のいずれか１つに記載の屋根構造。
【請求項６】
前記金属屋根材は、前記積重部において、前記端部金物の鉛直方向上方に重なっている、請求項１乃至５のいずれか１つに記載の屋根構造。
【請求項７】
前記金属屋根材は、前記積重部において、前記端部金物の鉛直方向下方に重なっている、請求項１乃至５のいずれか１つに記載の屋根構造。
【発明の詳細な説明】
【技術分野】
【０００１】
本発明は屋根構造に関する。
【背景技術】
【０００２】
従来から、金属屋根のケラバ側の端部の雨仕舞構造として、ケラバ唐草などの端部金物を用いる構成が知られている。特許文献１には、この種の雨仕舞構造が開示されている。特許文献１の雨仕舞構造は、屋根下地材と、山部と谷部とが連設された角波状の金属屋根材と、止水材が設けられたけらば包みと、金属屋根材の山部と屋根下地材との間に配置される固定具と、この固定具に固定され金属屋根材とけらば包みとの間に配置される内カバーと、を備えている。
【先行技術文献】
【特許文献】
【０００３】
【特許文献１】特開２０１３−２３７９７３号公報
【発明の概要】
【発明が解決しようとする課題】
【０００４】
特許文献１に記載の雨仕舞構造を有する屋根構造は複雑であり、施工性に関して依然として改善の余地がある。
【０００５】
本発明は、屋根端部の雨仕舞の施工性を向上させることが可能な屋根構造を提供することを目的とする。
【課題を解決するための手段】
【０００６】
本発明の第１の態様としての屋根構造は、屋根下地材と、前記屋根下地材に支持される金属屋根材と、前記金属屋根材と鉛直方向で部分的に重なるように配置され、前記屋根下地材に支持されている端部金物と、前記金属屋根材及び前記端部金物が鉛直方向に重なって構成される積重部で、前記金属屋根材と前記端部金物との間に位置する止水部材と、前記積重部の位置で、前記金属屋根材及び前記端部金物を貫いて前記屋根下地材に締結されており、前記金属屋根材と前記端部金物との間で前記止水部材を挟み込む締結部材と、を備える。
【０００７】
本発明の１つの実施形態として、前記締結部材は、前記積重部の位置で、前記止水部材を貫いて前記屋根下地材に締結されている。
【０００８】
本発明の１つの実施形態としての屋根構造は、前記止水部材を第１止水部材とした場合に、前記積重部の鉛直方向上方に配置される押さえ部材と、前記積重部と前記押さえ部材との間に位置する第２止水部材と、を備え、前記締結部材は、前記積重部の位置で、前記押さえ部材及び前記第２止水部材を貫いて前記屋根下地材に締結されており、前記積重部と前記押さえ部材との間で前記第２止水部材を挟み込んでいる。
【０００９】
本発明の１つの実施形態としての屋根構造は、前記押さえ部材の鉛直方向上方を覆うカバー部材を備える。
【００１０】
本発明の１つの実施形態としての屋根構造は、前記屋根下地材と前記金属屋根材との間、及び、前記屋根下地材と前記端部金物との間、に介在する防水シート部材を備える。
【００１１】
本発明の１つの実施形態として、前記金属屋根材は、前記積重部において、前記端部金物の鉛直方向上方に重なっている。
【００１２】
本発明の１つの実施形態として、前記金属屋根材は、前記積重部において、前記端部金物の鉛直方向下方に重なっている。
【発明の効果】
【００１３】
本発明によれば、屋根端部の雨仕舞の施工性を向上させることが可能な屋根構造を提供することができる。
【図面の簡単な説明】
【００１４】
【図１】本発明の一実施形態としての屋根構造を備える建物を示す図である。
【図２】図１のＩ−Ｉ断面図である。
【図３】図２に示す屋根構造の第１の変形例としての屋根構造を示す断面図である。
【図４】図２に示す屋根構造の第２の変形例としての屋根構造を示す断面図である。
【発明を実施するための形態】
【００１５】
以下、本発明に係る屋根構造の実施形態について図面を参照して例示説明する。各図において共通する部材・部位には同一の符号を付している。また、本明細書において、特に記載がない限り、「上」とは鉛直方向の上側を意味し、「下」とは鉛直方向の下側を意味する。
【００１６】
図１は、本発明に係る屋根構造の一実施形態としての屋根構造１を備える建物１００を示す図である。まず、本発明に係る屋根構造を適用可能な建物の一例としての建物１００の概略について説明する。
【００１７】
建物１００は、例えば、鉄骨造の骨組みを有する２階建ての住宅とすることができる。また建物１００は、例えば、地盤に固定された基礎構造体と、当該基礎構造体上に固定される上部構造体と、で構成される。
【００１８】
基礎構造体は、上部構造体の下方に位置し、上部構造体を支持するものであり、例えば、鉄筋コンクリート造の断面Ｔ字状の布基礎とすることができる。上部構造体は、複数の柱と、柱間に架設された複数の梁とで構成される架構と、この架構の外周側に配置される外周壁部１０１と、架構の梁に支持される各階の床部と、架構の上方を覆う屋根部１０２と、を備える。
【００１９】
外周壁部１０１は、外装材としての外壁パネル１０１ａを備える。また、外周壁部１０１は、外壁パネル１０１ａの屋内側に、断熱層を構成する断熱材及び内装材を備える。
【００２０】
外壁パネル１０１ａとしては、例えば、軽量気泡コンクリート（以下、「ＡＬＣ」と記載する。「ＡＬＣ」とは「autoclaved light weight concrete」の略である。）のパネル、金属系や窯業系のサイディング、押出成形セメント板、木質系パネルなどを用いることができる。この外壁パネル１０１ａを架構の外周部の周囲に連接することにより、外周壁部１０１の外皮層を形成することができる。
【００２１】
また、断熱材としては、例えば、フェノールフォーム、ポリスチレンフォーム、ウレタンフォーム等の発泡樹脂系の材料からなるパネル状の断熱材の他、ロックウール等の繊維系の断熱材を用いることもできる。この断熱材を外壁パネル１０１ａの屋内側に、外壁パネル１０１ａの内面に沿って配置することにより、外周壁部１０１の断熱層を形成することができる。内装材としては、例えば、石膏ボードを用いることができ、内装材を断熱材の屋内側に連接することにより、外周壁部１０１の内皮層を形成することができる。
【００２２】
床部は、建物の層間に位置する。床部は床スラブ材を含む。床スラブ材は、架構の梁間に架設され、梁により直接的又は間接的に支持される。床スラブ材としては、例えば、ＡＬＣパネルを用いることできるが、折板、押出成形セメント板、木質パネル材などの別の部材を用いてもよい。床部は、床スラブ材に加えて、例えば、床スラブ材に対して直接的又は間接的に取り付けられる、下階の天井面を構成する天井内装材や、床スラブ材上に積層された、上階の床面を構成するフローリング等の床内装材など、を含む構成であってもよい。
【００２３】
屋根部１０２は、大棟１０２ａを挟む両側に勾配屋根面１０２ｂを有する切妻屋根である。但し、屋根部１０２の形状は、切妻屋根に限られず、片流れ屋根等の他の形状であってもよい。
【００２４】
以下、本実施形態の屋根部１０２の屋根構造１について詳細に説明する。図２は、屋根部１０２の屋根構造１の断面図である。より具体的に、図２に示す屋根構造１の断面は、図１に示す勾配屋根面１０２ｂの水上側から水下側に向かう勾配方向Ａと直交するＩ−Ｉ線での断面である。
【００２５】
図２に示すように、屋根構造１は、屋根下地材２と、金属屋根材３と、端部金物４と、第１止水部材５と、締結部材６と、押さえ部材７と、第２止水部材８と、防水シート部材９と、カバー部材１０と、を備える。
【００２６】
屋根下地材２は、金属屋根材３、端部金物４、第１止水部材５、締結部材６、押さえ部材７、第２止水部材８、防水シート部材９及びカバー部材１０を支持する。屋根下地材２は、屋根部１０２の鉄骨下地材に取り付けられて支持されている。屋根下地材２は、例えば野地板により構成される。鉄骨下地材は、屋根下地材２が取り付けられ、屋根下地材２を支持するものであれば特に限定されない。鉄骨下地材は、例えば、勾配方向Ａに延在し、勾配方向Ａと直交する方向Ｂに所定間隔を隔てて複数配置されている長尺な傾斜材と、勾配方向Ａと直交する方向Ｂに延在し、勾配方向Ａに所定間隔を隔てて複数配置されている長尺な横材と、で構成することができる。
【００２７】
金属屋根材３は、上述したように、屋根下地材２に支持される。金属屋根材３は、例えば、亜鉛めっき鋼板、アルミニウム亜鉛合金めっき鋼板（ガルバリウム鋼板）（登録商標）、銅板、アルミニウム板、ステンレス鋼板等によって形成することができる。
【００２８】
本実施形態の金属屋根材３は、端部屋根材３ａと、中央屋根材３ｂと、の２種類を含む。屋根下地材２上には、端部屋根材３ａ及び中央屋根材３ｂが敷設される。端部屋根材３ａは、屋根端部に配置される屋根材であり、中央屋根材３ｂは、屋根端部以外に配置される屋根材である。まず、端部屋根材３ａについて説明する。
【００２９】
図２に示すように、端部屋根材３ａは、矩形板状の本体部３６と、この本体部３６の外縁部のうち直線状の一辺部３６ａに連続する下ハゼ部３３と、を備える。
【００３０】
本体部３６は、後述する端部金物４と鉛直方向に重ねられる部分である。
【００３１】
下ハゼ部３３は、本体部３６の一辺部３６ａから立ち上がる第１下ハゼ傾斜側板３３ａと、この第１下ハゼ傾斜側板３３ａの上端に係止顎部３５ａを介してつながり、屋根中央側に隣接して配置される中央屋根材３ｂの後述する上ハゼ部３２の内部空間に内嵌可能な下ハゼ頭部３３ｂと、この下ハゼ頭部３３ｂに係止顎部３５ｂを介して垂下し、第１下ハゼ傾斜側板３３ａとの間で下方に向かって幅が拡がる下開き開口を区画する第２下ハゼ傾斜側板３３ｃと、この第２下ハゼ傾斜側板３３ｃの下端と連続し、本体部３６と略平行に延在する固定板部３３ｄと、により構成されている。
【００３２】
固定板部３３ｄは、ビス等の締結部材６により、屋根下地材２に締結される。
【００３３】
次に、中央屋根材３ｂについて説明する。図２に示すように、中央屋根材３ｂは、矩形板状の本体部３１と、この本体部３１の対向する外縁部の一方側に連続する上ハゼ部３２と、本体部３１の対向する外縁部の他方側に連続する下ハゼ部３３と、を備える。図２では、中央屋根材３ｂの下ハゼ部３３が図示されていないが、その構成は、上述の端部屋根材３ａの下ハゼ部３３と同様である。
【００３４】
上ハゼ部３２は、矩形板状の本体部３１の外縁部のうち直線状に延在する第１辺部３１ａに沿って設けられている。また、下ハゼ部３３は、矩形板状の本体部３１の外縁部のうち、上ハゼ部３２が設けられている第１辺部３１ａと対向し略平行な直線状の第２辺部（端部屋根材３ａの一辺部３６ａと同じ）に沿って設けられている。
【００３５】
本実施形態の端部屋根材３ａ及び中央屋根材３ｂは、上述の上ハゼ部３２及び下ハゼ部３３の延在方向が勾配方向Ａとなるような姿勢で、上述の屋根下地材２に取り付けられる。つまり、本実施形態の金属屋根材３は縦葺き用の屋根材である。
【００３６】
図２に示すように、上ハゼ部３２は、本体部３１の第１辺部３１ａから立ち上がる第１上ハゼ傾斜側板３２ａと、この第１上ハゼ傾斜側板３２ａの上端に係止顎部３４ａを介してつながり、屋根端部側に隣接して配置される端部屋根材３ａの下ハゼ部３３を内嵌可能な内部空間を区画する上ハゼ頭部３２ｂと、この上ハゼ頭部３２ｂに係止顎部３４ｂを介して垂下し、第１上ハゼ傾斜側板３２ａとの間で下方に向かって幅が拡がる下開き開口を区画する第２上ハゼ傾斜側板３２ｃと、で構成されている。
【００３７】
上述したように、中央屋根材３ｂの下ハゼ部３３は、端部屋根材３ａの下ハゼ部３３と同様であるため、ここでは説明を省略する。
【００３８】
中央屋根材３ｂの上ハゼ部３２の一方の係止顎部３４ａ及び他方の係止顎部３４ｂは、対向して配置されている。そして、中央屋根材３ｂの上ハゼ部３２において、一方の係止顎部３４ａは、他方の係止顎部３４ｂに向かって突出している。また、中央屋根材３ｂの上ハゼ部３２において、他方の係止顎部３４ｂは、一方の係止顎部３４ａに向かって突出している。つまり、中央屋根材３ｂの上ハゼ部３２には、一方の係止顎部３４ａ及び他方の係止顎部３４ｂにより、括れ部が形成されている。
【００３９】
端部屋根材３ａ及び中央屋根材３ｂの下ハゼ部３３の一方の係止顎部３５ａ及び他方の係止顎部３５ｂについても、中央屋根材３ｂの上ハゼ部３２の一方の係止顎部３４ａ及び他方の係止顎部３４ｂと同様の構成を有する。具体的に、端部屋根材３ａ及び中央屋根材３ｂの下ハゼ部３３において、一方の係止顎部３５ａ及び他方の係止顎部３５ｂは、対向して配置されている。そして、端部屋根材３ａ及び中央屋根材３ｂの下ハゼ部３３において、一方の係止顎部３５ａは、他方の係止顎部３５ｂに向かって突出している。また、端部屋根材３ａ及び中央屋根材３ｂの下ハゼ部３３において、他方の係止顎部３５ｂは、一方の係止顎部３５ａに向かって突出している。つまり、端部屋根材３ａ及び中央屋根材３ｂそれぞれの下ハゼ部３３においても、一方の係止顎部３５ａ及び他方の係止顎部３５ｂにより、括れ部が形成されている。
【００４０】
図２に示すように、端部屋根材３ａの下ハゼ部３３は、屋根中央側で隣接する中央屋根材３ｂの上ハゼ部３２に嵌合する。これにより、端部屋根材３ａと中央屋根材３ｂとが連結される。
【００４１】
また、中央屋根材３ｂは、勾配方向Ａと直交する方向Ｂに直列に複数連結される。その際に、隣接する２つの中央屋根材３ｂは、一方の中央屋根材３ｂの上ハゼ部３２と他方の中央屋根材３ｂの下ハゼ部３３とを嵌合することにより、連結される。
【００４２】
このように、上ハゼ部３２及び下ハゼ部３３を嵌合状態にすることで、端部屋根材３ａと中央屋根材３ｂとが連結される。また、上ハゼ部３２及び下ハゼ部３３を嵌合状態にすることで、中央屋根材３ｂ同士が連結される。
【００４３】
中央屋根材３ｂの上ハゼ部３２の上ハゼ頭部３２ｂの収容空間に、隣接して配置される端部屋根材３ａ又は別の中央屋根材３ｂの下ハゼ部３３の下ハゼ頭部３３ｂが収容されると、上ハゼ部３２の係止顎部３４ａ、３４ｂと、下ハゼ部３３の係止顎部３５ａ、３５ｂと、が係合することで、引き抜けが抑制される。そのため、本実施形態の上ハゼ部３２及び下ハゼ部３３の嵌合状態は保持され易い。つまり、端部屋根材３ａと中央屋根材３ｂとの連結状態、及び、中央屋根材３ｂ同士の連結状態、が外力等により解除されることを抑制できる。
【００４４】
なお、本実施形態の金属屋根材３は、上述の端部屋根材３ａ及び中央屋根材３ｂの異なる形状を有する２種類で構成されているが、別の形状の屋根材を含む構成としてもよい。
【００４５】
端部金物４は、上述したように、屋根下地材２に支持されている。端部金物４は、金属屋根材３と鉛直方向で部分的に重なるように配置されている。詳細は後述するが、本実施形態の端部金物４は、金属屋根材３のうち端部屋根材３ａと鉛直方向で部分的に重なるように配置されている。本実施形態の端部金物４は、勾配屋根面１０２ｂのケラバ端の雨仕舞のために配置されるケラバ唐草であるが、屋根端部において雨仕舞のために用いられる金物であれば、その構成は特に限定されない。
【００４６】
端部金物４は、例えば、亜鉛めっき鋼板、アルミニウム亜鉛合金めっき鋼板（ガルバリウム鋼板）、銅板、アルミニウム板、ステンレス鋼板等によって形成することができる。
【００４７】
本実施形態の端部金物４は、屋根下地材２の上面を覆う上面カバー板部４１と、この上面カバー板部４１の端部で連続し、屋根端部で屋根下地材２の側面を覆うように上面カバー板部４１から下方に垂下する側面カバー板部４２と、この側面カバー板部４２の下端から屋根下地材２の下面側に折り返され、上方に向かって延在する折返し板部４３と、備える。
【００４８】
上面カバー板部４１は、金属屋根材３の端部屋根材３ａのうち本体部３６と鉛直方向で重なるように配置されている。つまり、本実施形態の端部金物４は、上面カバー板部４１が本体部３６と鉛直方向で重なるように配置されることで、金属屋根材３と鉛直方向で部分的に重なる。つまり、本実施形態では、金属屋根材３及び端部金物４が鉛直方向に重なって構成される積重部Ｘが、本体部３６及び上面カバー板部４１により形成されている。
【００４９】
図２に示すように、本実施形態の上面カバー板部４１は、上述の積重部Ｘよりも屋根中央側の、端部屋根材３ａの本体部３６に覆われる位置で、ビス等の締結部材６により屋根下地材２に締結されている。また、上面カバー板部４１は、屋根中央側の端部に上方に折り返された折返し端部４１ａを備える。
【００５０】
本実施形態において、金属屋根材３は、積重部Ｘにおいて、端部金物４の上方に重なっている。つまり、金属屋根材３の本体部３６が、端部金物４の上面カバー板部４１の上方に重なっている。しかしながら、積重部Ｘにおける金属屋根材３及び端部金物４の上下の位置関係は特に限定されず、後述するように、端部金物４が、積重部Ｘにおいて、金属屋根材３の上方に重なる構成であってもよい（図４参照）。
【００５１】
第１止水部材５は、金属屋根材３及び端部金物４が鉛直方向に重なる積重部Ｘで、金属屋根材３と端部金物４との間に位置する。第１止水部材５は、後述の締結部材６により、金属屋根材３と端部金物４との間に挟み込まれている。このように第１止水部材５を配置することで、積重部Ｘにおいて、金属屋根材３と端部金物４との間から雨水等の水が屋根部１０２内に侵入することを抑制できる。
【００５２】
更に、このような第１止水部材５を配置する構成を採用することで、金属屋根材３及び端部金物４の施工性を高めることができる。つまり、金属屋根材３及び端部金物４の位置関係を、積重部Ｘの重なり度合いにより、施工時において簡単に調整できる。そのため、積重部Ｘの重なり度合いにより、金属屋根材３の寸法の個体差等により生じる寸法誤差を容易に吸収できる。これにより、端部金物４の雨仕舞のための部位（本実施形態では側面カバー板部４２及び折返し板部４３）を施工現場で加工（本実施形態では折り曲げ加工）しなくよい。
【００５３】
第１止水部材５は、弾性変形可能な材料により形成されていることが好ましい。第１止水部材５としては、例えば、ブチルテープやエチレン・プロピレン・ジエンゴム等を使用することができるが、特に限定されず、例えば、ブチル系、シリコーン系、アクリル系のゴムやシーリング材としてもよい。
【００５４】
締結部材６は、積重部Ｘの位置で、金属屋根材３及び端部金物４を貫いて屋根下地材２に締結されている。第１止水部材５は、この締結部材６により、金属屋根材３と端部金物４との間で挟み込まれている。このようにすることで、上述したように、積重部Ｘにおいて、金属屋根材３と端部金物４との間から雨水等の水が屋根部１０２内に侵入することを抑制できる。
【００５５】
より具体的に、本実施形態の第１止水部材５は、締結部材６の作用により、金属屋根材３と端部金物４の間で圧縮された状態で挟み込まれている。特に、本実施形態の締結部材６は、積重部Ｘの位置で、金属屋根材３及び端部金物４に加えて、第１止水部材５をも貫いた状態で、屋根下地材２に締結されている。このようにすることで、第１止水部材５がより強固に挟み込まれ、第１止水部材５によるシール性能を高めることができる。
【００５６】
更に、本実施形態の締結部材６は、積重部Ｘの位置で、後述の押さえ部材７及び第２止水部材８を貫いて、屋根下地材２に締結されている。つまり、本実施形態の締結部材６は、上述の金属屋根材３、端部金物４及び第１止水部材５に加えて、押さえ部材７及び第２止水部材８をも貫いた状態で、屋根下地材２に締結されている。このようにすることで、勾配屋根面１０２ｂ（図１参照）を構成する金属屋根材３の上面を流れる雨水等の水が、締結部材６が挿通する締結孔を通じて屋根部１０２内に侵入することを抑制できる。この詳細は後述する。
【００５７】
また更に、本実施形態では、締結部材６が、積重部Ｘの位置で、後述の防水シート部材９をも貫いて、屋根下地材２に締結されている。
【００５８】
本実施形態の締結部材６は、外面にねじ山が形成されている棒状の雄ねじ部６１と、この雄ねじ部６１から径方向外側に突設されているフランジ部６２と、を備える。より具体的に、本実施形態の締結部材６は金属製のビスであり、本実施形態のフランジ部６２はビス頭部により構成されている。したがって、本実施形態の金属屋根材３、端部金物４、第１止水部材５、押さえ部材７、第２止水部材８及び防水シート部材９は、締結部材６のフランジ部６２としてのビス頭部と、屋根下地材２と、の間に挟み込まれている。
【００５９】
押さえ部材７は、積重部Ｘの上方に配置される。押さえ部材７は、耐水性能及び防錆性能の高い構成とされる。押さえ部材７は、例えば樹脂を主成分とする構成にすることができる。積重部Ｘと押さえ部材７との間に後述する第２止水部材８を介在させた状態で、上述の締結部材６を、押さえ部材７の上面から屋根下地材２に至るまで挿入し締結することにより、第２止水部材８を、積重部Ｘと押さえ部材７との間に挟み込ませることができる。このような押さえ部材７を設けることで、勾配屋根面１０２ｂ（図１参照）を構成する金属屋根材３の上面を流れる雨水等の水は、押さえ部材７の側面に接触するが、押さえ部材７の上面には接触し難くなる。つまり、このような押さえ部材７を設け、この押さえ部材７の上面から締結部材６を挿入する。このようにすれば、金属屋根材３の上面を流れる雨水等が、押さえ部材７の上面から外部に露出する締結部材６の上面に接触し難い。そのため、本実施形態のように締結部材６を金属製のビスとしても、締結部材６が錆びることを抑制できる。更に、金属屋根材３の上面を流れる雨水等の水が締結部材６の締結孔に入り難くなる。そのため、締結孔から屋根部１０２内に水が侵入することをも抑制できる。また更に、第２止水部材８を設けることで、締結孔から屋根部１０２内に水が侵入することを、より抑制できる。この詳細は後述する。
【００６０】
１つの押さえ部材７には、複数の締結部材６が挿通されている。換言すれば、押さえ部材７は、締結部材６が締結される複数の位置に跨るように配置されている。そのため、複数の締結部材６の間の位置においても、押さえ部材７と屋根下地材２との間で、上述の金属屋根材３、端部金物４、第１止水部材５、第２止水部材８及び防水シート部材９を挟み込むことができる。すなわち、このような押さえ部材７とすることで、締結部材６が設けられていない位置でのシール性を高めることができる。
【００６１】
押さえ部材７は、特に限定されないが、耐水性能及び防錆性能の高い構成とされることが好ましい。一例として、本実施形態の押さえ部材７のように、樹脂を主成分とする構成とすることができる。なお、樹脂を主成分とする構成とは、樹脂の重量パーセントが５０％以上の構成を意味する。したがって、押さえ部材７は、樹脂のみから構成（樹脂の重量パーセント１００％）されてもよく、樹脂に木粉が混ぜ合わされた構成としてもよい。更に、押さえ部材７は、外表面のみを樹脂で被覆された構成であってもよい。樹脂の材料としては、例えば、ポリエチレン、ポリプロピレン、ＡＢＳ樹脂、ポリスチレン等が挙げられる。また更に、押さえ部材７は、防錆処理されたステンレス等の金属から構成されてもよい。このように、押さえ部材７は、耐水性能及び防錆性能の高い構成であれば、その形成材料は特に限定されない。したがって、押さえ部材７は、例えば、上述のような各種材料から形成される耐水性能及び防錆性能の高い、断面矩形状の角棒部材とすることができる。
【００６２】
第２止水部材８は、積重部Ｘと押さえ部材７との間に位置する。上述したように、締結部材６は、積重部Ｘの位置で、上述の金属屋根材３、端部金物４、第１止水部材５、押さえ部材７、第２止水部材８及び防水シート部材９を貫いた状態で、屋根下地材２に締結されている。そのため、第２止水部材８は、この締結部材６により、積重部Ｘと押さえ部材７との間で挟み込まれている。第２止水部材８は、積重部Ｘと押さえ部材７との間で圧縮され、積重部Ｘと押さえ部材７との間のみならず、締結孔の位置で締結部材６の周囲にも密着した状態となる。このような第２止水部材８を設けることで、仮に締結部材６の締結孔から雨水等が侵入したとしても、第２止水部材８が締結部材６と密着しているため、水がそれ以上侵入することを抑制できる。つまり、締結孔から屋根部１０２内に水が侵入することを、より抑制できる。
【００６３】
第２止水部材８は、第１止水部材５と同様、弾性変形可能な材料により形成されていることが好ましい。第２止水部材８としては、例えば、ブチルテープやエチレン・プロピレン・ジエンゴム等を使用することができるが、特に限定されず、例えば、ブチル系、シリコーン系、アクリル系のゴムやシーリング材としてもよい。なお、第１止水部材５と第２止水部材８とを同一の材料から構成してもよく、別の材料から構成してもよい。
【００６４】
防水シート部材９は、屋根下地材２と金属屋根材３との間、及び、屋根下地材２と端部金物４との間、に介在させることができる。より具体的に、本実施形態の防水シート部材９は、屋根下地材２上に敷設されている。上述した金属屋根材３、端部金物４、第１止水部材５、締結部材６、押さえ部材７及び第２止水部材８は、防水シート部材９上に配置される。
【００６５】
防水シート部材９は、防水性能を有する材料から構成されていればよく、例えば、アスファルトルーフィングを用いることができる。
【００６６】
カバー部材１０は、押さえ部材７の上方を覆うように配置される。このようなカバー部材１０を設けることで、雨水が締結部材６の上面に降り注ぐことを抑制できる。そのため、本実施形態のように締結部材６を金属製としても、押さえ部材７の上面から露出する締結部材６が錆びることを抑制できる。また、締結部材６の締結孔から雨水が入ることについても抑制できる。更に、樹脂を含む押さえ部材７は、太陽光により劣化するおそれがあるが、カバー部材１０を設けることで、押さえ部材７の太陽光による劣化を抑制できる。
【００６７】
より具体的に、本実施形態のカバー部材１０は、押さえ部材７の上方を覆う本体部１０ａと、この本体部１０ａの屋根中央側の端部から垂下し、押さえ部材７の側面の少なくとも一部を覆う第１側部１０ｂと、本体部１０ａの屋根中央側とは反対側の端部から垂下し、押さえ部材７の側面全域及び屋根下地材２の側面の少なくとも一部を覆う第２側部１０ｃと、を備える。また、本実施形態のカバー部材１０は、締結部材６により押さえ部材７の上面に固定された支持部材１１により支持されているが、支持部材１１がなく、押さえ部材７に直接取り付けられるカバー部材としてもよい。
【００６８】
カバー部材１０は、例えば、各種の金属鋼板から構成される。但し、カバー部材１０は、樹脂製としてもよい。
【００６９】
次に、図２に示す屋根構造１の第１の変形例としての屋根構造１ａについて説明する。図３は、図２と同様の位置での屋根構造１ａの断面図である。
【００７０】
図３に示す屋根構造１ａは、図２に示す屋根構造１と比較して、第３止水部材１２の有無で主に相違する。ここでは、図３に示す屋根構造１ａのうち、図２に示す屋根構造１と相違する点について主に説明し、共通する構成については説明を省略する。
【００７１】
図３に示すように、屋根構造１ａは第３止水部材１２を備える。第３止水部材１２は、屋根下地材２と端部金物４の間に介在している。より具体的に、図３に示す屋根構造１ａでは、第３止水部材１２が、屋根下地材２上の防水シート部材９と、端部金物４の上面カバー板部４１と、の間に介在している。
【００７２】
したがって、図３に示す締結部材６は、積重部Ｘの位置で、上方から下方に向かって、押さえ部材７、第２止水部材８、金属屋根材３の端部屋根材３ａ、第１止水部材５、端部金物４、第３止水部材１２、防水シート部材９の順に貫いた状態で、屋根下地材２に締結されている。屋根下地材２と端部金物４の間に第３止水部材１２を設けることで、屋根下地材２と端部金物４との間のシール性を高めることができる。また、締結部材６が、第１止水部材５及び第２止水部材８に加えて、第３止水部材１２をも貫く構成とすることで、締結孔から屋根部１０２内に水が侵入することを、より一層抑制できる。
【００７３】
なお、図３に示す端部金物４の上面カバー板部４１は、図２に示す構成と異なり、積重部Ｘよりも屋根中央側で、ビス等の締結部材６により屋根下地材２に締結されていないが、端部屋根材３ａの本体部３６に覆われる位置で、締結部材６により締結される構成としてもよい。
【００７４】
次に、図２に示す屋根構造１の第２の変形例としての屋根構造１ｂについて説明する。図４は、図２と同様の位置での屋根構造１ｂの断面図である。
【００７５】
図４に示す屋根構造１ｂは、図２に示す屋根構造１と比較して、積重部Ｘの位置での金属屋根材３及び端部金物４の上下位置関係が主に相違する。ここでは、図４に示す屋根構造１ｂのうち、図２に示す屋根構造１と相違する点について主に説明し、共通する構成については説明を省略する。
【００７６】
図４に示す屋根構造１ｂにおいて、金属屋根材３は、積重部Ｘにおいて、端部金物４の下方に重なっている。より具体的に、図４では、金属屋根材３のうち端部屋根材３ａの本体部３６が、端部金物４の上面カバー板部４１の下方に重なっている。
【００７７】
したがって、図４に示す締結部材６は、積重部Ｘの位置で、上方から下方に向かって、押さえ部材７、第２止水部材８、端部金物４、第１止水部材５、金属屋根材３の端部屋根材３ａ、防水シート部材９の順に貫いた状態で、屋根下地材２に締結されている。
【００７８】
本発明に係る屋根構造は、上述した実施形態及び変形例に示す具体的な構成に限られず、特許請求の範囲を逸脱しない限り、種々の変形・変更が可能である。上述した実施形態及び変形例では、屋根端部としてのケラバ端に配置される構成について説明しているが、例えば、屋根端部としての軒端に配置される構成に本発明に係る屋根構造を適用してもよい。また、上述した実施形態及び変形例に示す金属屋根材３の上ハゼ部３２及び下ハゼ部３３の形状についても、特に限定されるものではなく、他の形状の上ハゼ部３２及び下ハゼ部３３としてもよい。
【産業上の利用可能性】
【００７９】
本発明は屋根構造に関する。
【符号の説明】
【００８０】
１、１ａ、１ｂ：屋根構造
２：屋根下地材
３：金属屋根材
３ａ：端部屋根材
３ｂ：中央屋根材
４：端部金物
５：第１止水部材
６：締結部材
７：押さえ部材
８：第２止水部材
９：防水シート部材
１０：カバー部材
１０ａ：本体部
１０ｂ：第１側部
１０ｃ：第２側部
１１：支持部材
１２：第３止水部材
３１：本体部
３１ａ：第１辺部
３２：上ハゼ部
３２ａ：第１上ハゼ傾斜側板
３２ｂ：上ハゼ頭部
３２ｃ：第２上ハゼ傾斜側板
３３：下ハゼ部
３３ａ：第１下ハゼ傾斜側板
３３ｂ：下ハゼ頭部
３３ｃ：第２下ハゼ傾斜側板
３３ｄ：固定板部
３４ａ、３４ｂ：上ハゼ部の係止顎部
３５ａ、３５ｂ：下ハゼ部の係止顎部
３６：本体部
３６ａ：一辺部
４１：上面カバー板部
４１ａ：折返し端部
４２：側面カバー板部
４３：折返し部
６１：雄ねじ部
６２：フランジ部
１００：建物
１０１：外周壁部
１０１ａ：外壁パネル
１０２：屋根部
１０２ａ：大棟
１０２ｂ：勾配屋根面
Ａ：勾配方向
Ｂ：勾配方向と直交する方向
Ｘ：積重部
【図１】
2020133351.tif 000003
【図２】
2020133351.tif 000004
【図３】
2020133351.tif 000005
【図４】
2020133351.tif 000006